(57)【要約】【課題】隣接する遊技者の玉箱と明確に区別でき、かつ遊技者が満足できる出玉感の演出効果が得られる玉箱仕切り板を提供する。【解決手段】パチンコの出玉１８を収納して遊技台１２下の床１６面に置かれる玉箱の側面にそって配置される板状の部材である。隣り合う玉箱２０の間を仕切るための壁を形成する。玉箱２０の上方に突出する部分には、玉箱２０の像を反射する鏡面２６を設けた。鏡面２６は玉箱の１個分の高さ以上の部分であってその両面に設けられている。玉箱２０の幅一杯の横幅を有していることが好ましい。隣り合う遊技者の玉箱を区別できるように仕切るとともに、横方から見たときに複数個並べられた玉箱や玉箱内の出玉が鏡面に映り、複数の玉箱や出玉がより多く見えて、遊技者を心地よい気分にする機能を持つ。【選択図】図１
0003137154.tif 000002
【実用新案登録請求の範囲】
【請求項１】
パチンコの出玉を収納して遊技台下の床面に置かれる玉箱の側面にそって配置される板状の部材であって、隣り合う玉箱の間を仕切るための壁を形成して玉箱の上方に突出する部分に、玉箱の像を反射する鏡面を設けたことを特徴とする玉箱仕切り板。
【請求項２】
請求項１に記載の玉箱仕切り板において、
前記玉箱の１個分の高さ以上の部分の両面に鏡面を設けたことを特徴とする玉箱仕切り板。
【請求項３】
請求項１または２に記載の玉箱仕切り板において、
前記玉箱の幅一杯の横幅を有することを特徴とする玉箱仕切り板。
【請求項４】
請求項１乃至３のいずれかに記載の玉箱仕切り板において、
前記玉箱の側壁に、下部を固定する固定手段を備えることを特徴とする玉箱仕切り板。
【請求項５】
請求項１乃至４のいずれかに記載の玉箱仕切り板において、
前記玉箱の側壁をマジックミラーで構成したことを特徴とする玉箱仕切り板。
【考案の詳細な説明】
【技術分野】
【０００１】
本考案は、パチンコの出玉を収容する箱の所有者を区別するために、隣り合う玉箱の間に立てる玉箱仕切り板に関する。
【背景技術】
【０００２】
パチンコ店では、パチンコの大量の出玉を収容するために、遊技台の床に並べる箱が提供される。遊技者は、出玉がさらに増えるとこの箱を床に積み上げる。このとき、箱を広口にして出玉を多く見える工夫もされている（特許文献１参照）。
【特許文献１】特開２００７−７５４９９号公報
【考案の開示】
【考案が解決しようとする課題】
【０００３】
遊技場の通路に玉箱をあまり高く積み上げると重くて危険である。したがって、できるだけ床に横に並べることが好ましい。しかし、遊技台は一定の間隔で並んでおり、遊技者の椅子もその前に並んでいる。したがって、玉箱を横に並べると隣接する遊技者の玉箱と区別できなくなることがある。
本考案は上記の課題を解決するためになされたもので、隣接する遊技者の玉箱と明確に区別でき、かつ遊技者が満足できる出玉感の演出効果が得られる玉箱仕切り板を提供することを目的とする。
【課題を解決するための手段】
【０００４】
以下の構成はそれぞれ上記の課題を解決するための手段である。
〈構成１〉
パチンコの出玉を収納して遊技台下の床面に置かれる玉箱の側面にそって配置される板状の部材であって、隣り合う玉箱の間を仕切るための壁を形成して玉箱の上方に突出する部分に、玉箱の像を反射する鏡面を設けたことを特徴とする玉箱仕切り板。
【０００５】
隣り合う遊技者の玉箱を区別できるように仕切るとともに、横方から見たときに複数個並べられた玉箱や玉箱内の出玉が鏡面に映り、複数の玉箱や出玉がより多く見えて、遊技者を心地よい気分にする機能を持つ。
【０００６】
〈構成２〉
構成１に記載の玉箱仕切り板において、上記玉箱の１個分の高さ以上の部分の両面に鏡面を設けたことを特徴とする玉箱仕切り板。
【０００７】
玉箱を１段でも数段でも、両側で玉箱の像を映す機能がある。
【０００８】
〈構成３〉
構成１または２に記載の玉箱仕切り板において、上記玉箱の幅一杯の横幅を有することを特徴とする玉箱仕切り板。
【０００９】
横幅を玉箱の幅一杯にすると、玉箱の全上面の姿のみならず、よりリアルに、向こう側にも玉箱が並んでいるように見える。
【００１０】
〈構成４〉
構成１乃至３のいずれかに記載の玉箱仕切り板において、上記玉箱の側壁に、下部を固定する固定手段を備えることを特徴とする玉箱仕切り板。
【００１１】
玉箱の側面に自立させて置いてもよいが、玉箱の側壁に下部を固定すると簡単には倒れない。
【００１２】
〈構成５〉
構成１乃至４のいずれかに記載の玉箱仕切り板において、上記玉箱の側壁をマジックミラーで構成したことを特徴とする玉箱仕切り板。
【００１３】
鏡面を有する玉箱仕切り板２２の使用と相俟って、遊技場内の光線の状況によりマジックミラーを通して玉箱内の出玉が効果的に見えるので、出玉感の演出効果が得られる。
【考案を実施するための最良の形態】
【００１４】
以下、本発明の実施の形態を実施例毎に詳細に説明する。
【実施例１】
【００１５】
図１は、実施例１の玉箱仕切り板の遊技場における使用状態を示す斜視図である。遊技場の壁面には、多数の遊技台１２が配列されている。遊技台１２の前で、遊技者１０は椅子１４に座って遊技台１２を操作する。椅子１４の後の床１６上には、遊技者１０が獲得した大量の出玉１８を収容した玉箱２０が並べられている。
【００１６】
このように、床１６の上に沢山の玉箱２０を並列に並べると、隣り合う遊技者１０の玉箱２０が区別できなくなるおそれがある。そこで、玉箱仕切り板２２を、境界の玉箱２０の側面にそって配置することにより、隣り合う玉箱の間を仕切るための壁を形成する。玉箱仕切り板２２の上部の片面あるいは両面に、玉箱の像を反射する鏡面２６が形成されている。鏡面２６は、例えば、ガラスやステンレス板により構成されている。
【００１７】
図２は、玉箱２０と玉箱仕切り板２２の拡大斜視図である。
図２（ａ）に示すように、鏡面２６を設けてある玉箱仕切り板２２の上部は、玉箱２０の１個分の高さ以上の部分であって、玉箱２０の上面より上方に突出する。その鏡面２６には、玉箱２０や出玉１８等の像２４が映る。図２（ｂ）に示すように、玉箱仕切り板２２はその両面に同様の鏡面２６を形成している。
【００１８】
玉箱仕切り板２２の本体に、鏡面２６を形成する部材を貼り付けてもよい。例えば、玉箱仕切り板２２の本体をプラスチック成型品で構成し、これに、鏡面２６を形成する部材を貼り付けてもよい。あるいは、玉箱仕切り板２２の全体を、一部を鏡面仕上げしたステンレス板や強化ガラス等で構成してもよい。
【００１９】
玉箱仕切り板２２の高さとしては、少なくとも玉箱の上面より上方に突出する部分を有すること、即ち、玉箱１個分の高さ以上の高さが必要である。玉箱の上面より上方に突出する部分に鏡面２６を設けたことにより、隣り合う遊技者の玉箱２０をより明確に区別できる。また、玉箱仕切り板２２の横幅としては、鏡面２６により、横から見たときに玉箱２０や玉箱内の出玉がより多く見えることと、横幅が大き過ぎて玉箱２０からはみ出し歩行者の邪魔になることのないようにすることとの相反する２点を考慮すると、玉箱２０の幅一杯の横幅を有することが好ましい。また、玉箱仕切り板２２の形状は任意であり、板状の部材であればよい。
【００２０】
図３は玉箱仕切り板２２の主要部拡大斜視図である。
玉箱仕切り板２２は例えば、図３（ａ）に示すように、下側面にスタンド２８を固定して、自立型にするとよい。スタンド２８は、玉箱仕切り板２２を安定よく自立させるためのものであれば、任意構造でよい。例えば図示したように、床面に向って広がる切頭三角形をなす２つの板体を、玉箱仕切り板２２の両側に装着したものが使用される。
【００２１】
係員が、玉箱２０の置かれた状態を見計らって、適宜、玉箱仕切り板２２を置いていくといった使われ方ができる。しかし、自立型でなく、玉箱に装着されるようにしても構わない。例えば、図３（ｂ）に示すように、玉箱仕切り板２２の下部両側面にそれぞれＬ字形のフック３０を取り付けたものとする。このフック３０は、いずれか一方を玉箱２０の側壁上縁に嵌め込むことにより玉箱仕切り板２２の下部を固定する固定手段として機能する。これで簡単には倒れない。
【００２２】
なお、玉箱仕切り板２２は、上記したように自立する構造でもよいが、隣り合う２つの玉箱２０の側面間に挟んで立てるようにしてもよい。また、いずれか一方の玉箱２０に貼り付けたり、玉箱２０の側壁に形成した孔に差し込んで固定するような固定手段を備えていてもよい。また、図４に示すように、玉箱仕切り板２２を玉箱２０の内部側面とこの側面に接する出玉１８との間に差し込むようにして設置してもよい。この場合は玉箱仕切り板２２が玉箱２０の内部側面とこの側面に接する出玉１８とにより押えられて保持される。したがって、上記したようなスタンド２８やフック３０等は不要になるから、玉箱仕切り板２２の形状がシンプルになり設置が簡単である。
【実施例２】
【００２３】
図５は、実施例２の玉箱仕切り板と玉箱を示す斜視図である。図２に示した部分と共通する部分には同一符号を付して重複説明を省略する。
この実施例では、玉箱２０が透明な箱と仮定して、玉箱２０の側壁をマジックミラー２７で構成したものである。
【００２４】
玉箱２０の側壁をマジックミラー２７で構成すれば、遊技場内の光線の状況によりマジックミラー２７を通して玉箱２０内の出玉１８が効果的に見えるので、鏡面を有する玉箱仕切り板２２の使用と相俟って出玉感の演出効果が得られる。
【図面の簡単な説明】
【００２５】
【図１】実施例１の玉箱仕切り板の使用状態を示す斜視図である。
【図２】同玉箱仕切り板と玉箱を示す図で、（ａ）は拡大斜視図、（ｂ）は同側面図である。
【図３】同玉箱仕切り板の主要部を示す図で、（ａ）は図２に示した玉箱仕切り板の主要部の拡大斜視図、（ｂ）は他の玉箱仕切り板の主要部の拡大斜視図である。
【図４】同玉箱仕切り板の他の使用状態を示す斜視図である。
【図５】実施例２の玉箱仕切り板と玉箱を示す斜視図である。
【符号の説明】
【００２６】
１０  競技者
１２  遊技台
１４  椅子
１６  床
１８  出玉
２０  玉箱
２２  玉箱仕切り板
２４  玉箱の像
２６  鏡面
２７  マジックミラー
２８  スタンド
３０  フック
【図１】
0003137154.tif 000003
【図２】
0003137154.tif 000004
【図３】
0003137154.tif 000005
【図４】
0003137154.tif 000006
【図５】
0003137154.tif 000007